(57)【要約】【課題】コンパクトな形状で回収できて回収時の破損がおきにくく、再利用時に煩雑な工程を回避でき、環境負荷を軽減する。【解決手段】収納箱１Ａの本体部１Ｂは、相対向する長尺縦板部２に、長尺縦板部２を内側に折り曲げる第１の谷折部１２が上下方向に設けられ、長尺縦板部２に連続する第１、第２長尺底板部３、２１には、第１の谷折部１２が略延長する位置に第２の谷折部１４ａ、１４ｂが設けられ、長尺縦板部２に連続する下側蓋部４、上側蓋部２２には、第１の谷折部１２が略延長する位置に第３の谷折部１７ａ、１７ｂが設けられ、第１乃至第３の谷折部１２、１４ 、１４ｂ、１７ａ、１７ｂを折り曲げることにより本体部１Ｂ全体を折り畳めるようにした。【選択図】図２
2007246100.tif 000002
【特許請求の範囲】
【請求項１】
四方の縦板部と、該各縦板部に連続して設けられた複数の底板部と、前記各縦板部に連続して上側の略矩形の開口部を覆う複数の蓋部とが設けられた本体部を有する収納箱において、
相対向する一対の前記縦板部には、該縦板部を内側に折り曲げるための第１の谷折部が上下方向に設けられ、
前記第１の谷折部が設けられた前記縦板部に連続する前記底板部には、前記第１の谷折部が略延長する位置に、前記底板部を前記縦板部と同じ方向に折り曲げるための第２の谷折部が設けられ、
前記第１の谷折部が設けられた前記縦板部に連続する前記蓋部には、前記第１の谷折部が略延長する位置に、前記蓋部を前記縦板部と同じ方向に折り曲げるための第３の谷折部が設けられ、
前記底面部を上方に起立させると共に、前記蓋部を上方に起立させ又は下方に倒伏させて、前記第１の谷折部、前記第２の谷折部、前記第３の谷折部をそれぞれ折り曲げることにより箱全体を折り畳めるようにしたことを特徴とする収納箱。
【請求項２】
前記底板部には、前記縦板部の近傍に前記第２の谷折部に連続するスリットを設けたことを特徴とする請求項１に記載の収納箱。
【請求項３】
前記本体部を折り畳んだとき、前記第１の谷折部が設けられた縦板部に隣接する縦板部の面側から見た全体形状は略矩形となり、該全体形状において、一辺の長さは前記本体部を広げたときの前記開口部の一辺の長さ以下であり、前記一辺に隣接する他辺の長さは前記開口部の前記一辺に隣接する他片の長さ以下であることを特徴とする請求項１又は２に記載の収納箱。
【請求項４】
前記第１の谷折部、前記第２の谷折部、前記第３の谷折部は、外側に谷折用折曲部を設けると共に内側に山折用折曲部を設けたことを特徴とする請求項１乃至３の何れかに記載の収納箱。
【請求項５】
前記本体部は、古紙の圧縮成形により形成されたことを特徴とする請求項１乃至４の何れかに記載の収納箱。
【請求項６】
前記本体部には、ＩＣタグが配設されたことを特徴とする請求項１乃至５の何れかに記載の収納箱。
【発明の詳細な説明】
【技術分野】
【０００１】
本発明は、梱包用の収納箱に関し、特に、繰り返し使用される紙製の収納箱に関する。
【背景技術】
【０００２】
機械、電化製品、日用品等の各種物品を搬送する際、収納箱が用いられる。従来、この収納箱は使い捨てを前提に作られていたが、近年は環境問題がクローズアップされており、ゴミの排出量を減少させることが重要課題となっている。そして、収納箱も使い捨てずに回収し、再利用することが望ましい。そのため、従来、一度使用した収納箱を回収し、再利用を図るため循環利用システムが提案されている（例えば、特許文献１参照）。
【特許文献１】特開２００３−１１２７８９号公報
【発明の開示】
【発明が解決しようとする課題】
【０００３】
しかし、上記特許文献１に記載の発明によれば、回収時には箱を展開して回収するものであって、再使用する際に再度組立てる煩雑な作業が必要となる問題がある。一方、空の収納箱を組立てた状態のままで回収すると、小さなスペースに大量の収納箱を収容することが出来ず、回収効率が悪い。更に、組立てた状態のままで収納箱の一部を折り曲げ、折り畳んだ状態で回収すると、コンパクトに折り畳むことができず、また、折り目の箇所の曲げ応力により、折り目の部分に折り皺が寄ったり破断したりする事態が起き易いという問題がある。
【０００４】
本発明は上記の点に鑑みてなされたものであり、コンパクトな形状で回収できて回収時の破損がおきにくく、再利用時に煩雑な工程を回避でき、環境負荷を軽減する収納箱を提供することを課題としている。
【課題を解決するための手段】
【０００５】
上記課題を解決するため、請求項１に記載の発明は、四方の縦板部と、該各縦板部に連続して設けられた複数の底板部と、前記各縦板部に連続して上側の略矩形の開口部を覆う複数の蓋部とが設けられた本体部を有する収納箱において、相対向する一対の前記縦板部には、該縦板部を内側に折り曲げるための第１の谷折部が上下方向に設けられ、前記第１の谷折部が設けられた前記縦板部に連続する前記底板部には、前記第１の谷折部が略延長する位置に、前記底板部を前記縦板部と同じ方向に折り曲げるための第２の谷折部が設けられ、前記第１の谷折部が設けられた前記縦板部に連続する前記蓋部には、前記第１の谷折部が略延長する位置に、前記蓋部を前記縦板部と同じ方向に折り曲げるための第３の谷折部が設けられ、前記底面部を上方に起立させると共に、前記蓋部を上方に起立させ又は下方に倒伏させて、前記第１の谷折部、前記第２の谷折部、前記第３の谷折部をそれぞれ折り曲げることにより箱全体を折り畳めるようにしたことを特徴とする。
【０００６】
請求項２に記載の発明は、前記底板部には、請求項１に記載の構成に加え、前記縦板部の近傍に前記第２の谷折部に連続するスリットを設けたことを特徴とする。
【０００７】
請求項３に記載の発明は、請求項１又は２に記載の構成に加え、前記本体部を折り畳んだとき、前記第１の谷折部が設けられた縦板部に隣接する縦板部の面側から見た全体形状は略矩形となり、該全体形状において、一辺の長さは前記本体部を広げたときの前記開口部の一辺の長さ以下であり、前記一辺に隣接する他辺の長さは前記開口部の前記一辺に隣接する他片の長さ以下であることを特徴とする。
【０００８】
請求項４に記載の発明は、請求項３に記載の構成に加え、前記平面視形状において、前記一辺の長さは前記開口部の一辺の長さと略同一であると共に前記他辺の長さは前記開口部の他片の長さと略同一であることを特徴とする。
【０００９】
請求項５に記載の発明は、請求項１乃至４の何れかに記載の構成に加え、前記第１の谷折部、前記第２の谷折部、前記第３の谷折部は、外側に谷折用折曲部を設けると共に内側に山折用折曲部を設けたことを特徴とする。
【００１０】
請求項６に記載の発明は、請求項１乃至５の何れかに記載の構成に加え、前記本体部は、古紙の圧縮成形により形成されたことを特徴とする。
【００１１】
請求項７に記載の発明は、請求項１乃至６に何れかに記載の構成に加え、前記本体部には、ＩＣタグが配設されたことを特徴とする。
【発明の効果】
【００１２】
請求項１に記載の発明によれば、収納箱本体部の相対向する一対の縦板部には、縦板部を内側に折り曲げるための第１の谷折部が上下方向に設けられ、前記第１の谷折部が設けられた前記縦板部に連続する前記底板部には、前記第１の谷折部が略延長する位置に、前記底板部を前記縦板部と同じ方向に折り曲げるための第２の谷折部が設けられ、前記第１の谷折部が設けられた前記縦板部に連続する前記蓋部には、前記第１の谷折部が略延長する位置に、前記蓋部を前記縦板部と同じ方向に折り曲げるための第３の谷折部が設けられ、前記底面部を上方に起立させると共に、前記蓋部を上方に起立させ又は下方に倒伏させて、前記第１の谷折部、前記第２の谷折部、前記第３の谷折部をそれぞれ折り曲げることにより箱全体を折り畳めるようにしたことにより、底板部及び蓋部を縦板部と略平行状態にすることで第１の谷折部、第２の谷折部、第３の谷折部を略同一位置に重ね併せ、又は延長線上に配設して、縦板部を内側に折り曲げると同時に底板部と蓋部とを縦板部と同一方向に折り曲げることができる。これにより、収納箱の本体部をコンパクトな形状に折り畳んで回収することができる。また、再利用時には再び広げれば箱の形が形成されることから、展開した収納箱を再度組立てるような煩雑な工程を回避でき、利用者の利便性を向上させることができる。これにより、回収効率を高めて環境負荷を軽減できる。
【００１３】
請求項２に記載の発明によれば、底板部には、縦板部の近傍に第２の谷折部に連続するスリットを設けたことにより、縦板部の第１の谷折部が突出する方向に配設された底板部が、折り曲げられた際に強い曲げ応力がかかる箇所にスリットを配設できる。そして、本体部が厚い材質で形成されていても、第１の谷折部と第２の谷折部とを重ね合わせて折り曲げた際に底板部にかかる曲げ応力を緩和して底板部の破断を防ぐことができる。これにより、回収時の破損を起きにくくし、収納箱の本体部を容易にコンパクトな形状に折り畳むことができる。
【００１４】
請求項３に記載の発明によれば、本体部を折り畳んだとき、第１の谷折部が設けられた縦板部に隣接する縦板部の面側から見た全体形状は略矩形となり、全体形状において、一辺の長さは本体部を広げたときの開口部の一辺の長さ以下であり、一辺に隣接する他辺の長さは開口部の一辺に隣接する他片の長さ以下であることにより、広げた収納箱の中に畳んだ収納箱を収納することができる。これにより、複数の収納箱を回収する際に回収スペースの無駄をなくし、より効率よく回収することができる。
【００１５】
請求項４に記載の発明によれば、第１の谷折部、第２の谷折部、第３の谷折部は、外側に谷折用折曲部を設けると共に内側に山折用折曲部を設けたことにより、折り畳む際に各谷折部に割れが生ずることを防止し、かつ本体部を折り畳む際の折り曲げをスムーズに行わせることができる。これにより、繰り返しの使用における耐性を高め、収納箱の回収作業の効率を高めることができる。
【００１６】
請求項５に記載の発明によれば、本体部は、古紙の圧縮成形により形成することにより、強度が高く繰り返しの使用による耐性の高い収納箱を低コストで製造できる。また、原料が古紙であるため、製造時の環境負荷が少なくなり、かつ製造した収納箱自体のリサイクルも可能となって、環境負荷の軽減を図ることができる。
【００１７】
請求項６に記載の発明によれば、本体部には、ＩＣタグが配設されたことにより、収納箱の使用状況を簡易に把握でき、管理統括面から回収効率を高めることができる。
【発明を実施するための最良の形態】
【００１８】
以下、この発明の実施の形態について図面を参照して説明する。
【００１９】
図１Ａ乃至図１０には、この発明の実施の形態を示す。
【００２０】
まず構成を説明すると、この実施の形態の収納箱１Ａの本体部１Ｂは、図１Ａに展開状態を示す第１部材１Ｃ、図１Ｂに展開状態を示す第２部材１Ｄ、図１Ｃに展開状態を示す第３部材１Ｅを組み合わせ、図２の斜視図に示すような態様に形成されている。
【００２１】
これら第１部材１Ｃ、第２部材１Ｄ、第３部材１Ｅは、古紙パルプを圧縮成形した、強度、耐久性、耐水性の高い板紙（密度１．１（ｇ／ｃｍ３）、引張り強さＴ６０，Ｙ３５（ＭＰａ）、伸び率Ｔ６．２，Ｙ７．０（％）、吸水率５０（％）、程度）によって形成されている。板紙の厚さは２ｍｍ程度に形成するが、それ以上又はそれ以下の厚さであってもよい。古紙の圧縮成形にて形成した第１部材１Ｃ、第２部材１Ｄ、第３部材１Ｅは強度が高く、従って収納箱１Ａは繰り返しの使用による耐性が高くなる。また、収納箱１Ａは低コストで製造することが可能になる。
【００２２】
図１Ａに示す通り、第１部材１Ｃは、長尺縦板部２の上下に、第１長尺底板部３、下側蓋部４が設けられ、長尺縦板部２の左右には綴じ代部５、６が設けられている。
【００２３】
長尺縦板部２の四辺は、折り曲げ易い形状の山折部７，８，９，１０に形成されている。長尺縦板部２の右上にはナイロン製の把持部１１が取り付けられており、左上には各種管理情報を記録可能なＩＣタグ１８が取り付けられている。長尺縦板部２の略中央部には、長尺縦板部２を内側に折り曲げるための第１の谷折部１２が上下方向に設けられている。
【００２４】
第１長尺底板部３は、縦方向長さＬ１が本体部１Ｂの正面視横方向長さＬ１（図２）と略同一に形成され、先端部の２箇所（図１Ａにおける裏面側）に面ファスナ１３ａ、１３ｂが取り付けられている。また、第１長尺底板部３の略中央部の、第１の谷折部１２に連続する位置には、第２の谷折部１４ａが上下方向に設けられている。また、第１の谷折部１２と第２の谷折部１４ａとの間には、第２の谷折部１４ａの連続方向（即ち縦長）にスリット１５ａが切り欠き形成されている。
【００２５】
下側蓋部４の端部の４箇所には、面ファスナ１６ａ、１６ｂ、１６ｃ、１６ｄが取り付けられている。また、下側蓋部４の、第１の谷折部１２に連続する位置には、第３の谷折部１７ａが上下方向に設けられている。
【００２６】
なお、第１の谷折部１２、第２の谷折部１４ａ、第３の谷折部１７ａは、表面側に谷折用折曲部が設けられると共に裏面側に山折用折曲部が設けられ、それぞれ谷折りし易い態様に形成されている。
【００２７】
また、長尺縦板部２及び下側蓋部４を合わせた縦方向長さＬ２と、長尺縦板部２及び下側蓋部４の横方向長さＬ３とは略同一に形成されている。
【００２８】
図１Ｂに示す通り、第２部材１Ｄは、長尺縦板部２の上下に、第２長尺底板部２１、上側蓋部２２が設けられ、長尺縦板部２の左右には綴じ代部５、６が設けられている。
【００２９】
第２長尺底板部２１は、縦方向長さＬ４が本体部１Ｂの正面視横方向長さＬ１（図２）よりも短く形成され、基端部の２箇所（図１Ｂにおける表面側）に面ファスナ２３ａ、２３ｂが取り付けられている。また、第２長尺底板部２１の略中央部の、第１の谷折部１２に連続する位置には、第２の谷折部１４ｂが上下方向に設けられている。また、第１の谷折部１２と第２の谷折部１４ｂとの間には、第２の谷折部１４ｂの連続方向（即ち縦長）に切り欠き形成したスリット１５ｂが形成されている。
【００３０】
上側蓋部２２の端部の４箇所には、面ファスナ２４ａ、２４ｂ、２４ｃ、２４ｄが取り付けられている。また、下側蓋部４の、第１の谷折部１２に連続する位置には、第３の谷折部１７ｂが上下方向に設けられている。
【００３１】
また、長尺縦板部２及び上側蓋部２２を合わせた縦方向長さＬ２’と、長尺縦板部２及び上側蓋部２２の横方向長さＬ３’とは同一に形成されている。なお、この縦方向長さＬ２’及び横方向長さＬ３’は、図１Ａに示す縦方向長さＬ２及び横方向長さＬ３とも同一である（従って、以後 ２’はＬ２、 ３’は ３として包括的に記載する）。
【００３２】
図１Ｃに示す通り、第３部材１Ｅは、短尺縦板部３１の上下に、短尺底板部３２、フラップ３３、３３が設けられている。
【００３３】
短尺縦板部３１の上辺及び下辺は、折り曲げ易い形状の山折部３４，３５に形成されている。短尺底板部３２には、先端部略中央部から基端部にかけて、斜め方向に第４の谷折部３６が形成されている。短尺底板部３２の、第４の谷折部３６と先端側の一辺と右側の一辺とで囲まれた略三角形の領域は、第１長尺底板部３や第２長尺底板部２１に固着される固着面３７を形成する。
【００３４】
図２に斜視図を示す、この実施の形態の収納箱１Ａの本体部１Ｂ（図２）は、１枚の第１部材１Ｃ、１枚の第２部材１Ｄ、２枚の第３部材１Ｅを組み合わせて形成されている。以下、組立方を説明する。
【００３５】
まず、第１部材１Ｃと第２部材１Ｄを、裏面（図１Ａ及び図１Ｂに表れていない側の面）を離間対向させて配設し、第１部材１Ｃと第２部材１Ｄの両端部に一対の第３部材１Ｅ、１Ｅを離間対向させて配設する。
【００３６】
この状態で、図３に示すように、第３部材１Ｅの短尺縦板部３１の表面両側部に第１部材１Ｃの綴じ代部５（又は６）、第２部材１Ｄの綴じ代部６（又は５）を当接させ、ビス３８、３８・・・３８で固着させる。
【００３７】
次に、一方の第３部材１Ｅの短尺底板部３２の固着面３７を第１部材１Ｃの第１長尺底板部３に（本体部１Ｂを広げた状態で）当接させ、固着面３７と第１長尺底板部３とをビス３８で固着する。更に、同様に、他方の第３部材１Ｅの短尺底板部３２の固着面３７を第２部材１Ｄの第２長尺底板部２１に当接させ、固着面３７と第２長尺底板部２１とをビス３８で固着する（図７）参照。これにより、収納箱１Ａの本体部１Ｂが完成する。
【００３８】
次に、この収納箱１Ａを広げる動作と折り畳む動作について説明する。
【００３９】
第一に、収納箱１Ａの本体部１Ｂを広げる場合について説明する。この場合、最初に、一対の長尺縦板部２、２同士を離間対向させると共に一対の短尺縦板部３１、３１、同士を離間対向させ（図７参照）て、本体部１Ｂを平面視略矩形の形状とする（図３参照）。次に、短尺底板部３２、３２の上面に第２長尺底板部２１が載置され、第２長尺底板部２１の上面に第１長尺底板部３が載置された状態とし（図３及び図７参照）、第２長尺底板部２１の面ファスナ２３ａ、２３ｂと第１長尺底板部３の面ファスナ１３ａ、１３ｂとを係合させて本体部１Ｂを広げた状態が完成する（図２参照）。
【００４０】
この、本体部１Ｂを広げた状態で、第２長尺底板部２１の上面に載置された第１長尺底板部３が本体部１Ｂの底面略全域を覆っている（図６参照）ので、本体部１Ｂの底面を丈夫に形成し、収容箱１Ａの荷重に対する耐性を高くすることができる。
【００４１】
そして、本体部１Ｂを広げた状態で蓋をするときは、下側蓋部４、上側蓋部２２の順に本体部１Ｂの開口部１９（図２参照）を覆って図３乃至図５に示す状態とし、下側蓋部４の面ファスナ１６ａ、１６ｂ、１６ｃ、１６ｄと上側蓋部２２の面ファスナ２４ａ、２４ｂ、２４ｃ、２４ｄと（図２参照）を係合させる。
【００４２】
第二に、本体部１Ｂを折り畳む場合について説明する。この場合、最初に、下側蓋部４の面ファスナ１６ａ、１６ｂ、１６ｃ、１６ｄと上側蓋部２２の面ファスナ２４ａ、２４ｂ、２４ｃ、２４ｄとの係合を解除し、さらに第２長尺底板部２１の面ファスナ２３ａ、２３ｂと第１長尺底板部３の面ファスナ１３ａ、１３ｂとの係合を解除させる。
【００４３】
次に、下側蓋部４、上側蓋部２２、フラップ３３、３３をそれぞれ上方に起立させる（図２参照）。そして、第１長尺底板部３、第２長尺底板部２１が上方に起立させながら第１の谷折部１２、第２の谷折部１４ａ、１４ｂ、第３の谷折部１７ａ、１７ｂをそれぞれ谷折りすると、長尺縦板部２の中央部同士が近接する方向に移動すると共に第１長尺底板部３、第２長尺底板部２１が上方に起立してゆく。そして、第１長尺底板部３と一方の短尺底板部３２、第２長尺底板部２１と他方の短尺底板部３２とは固着面３７にて固着されているので、起立に応じて第４の谷折部３６が谷折りされつつ短尺底板部３２、３２も上方に起立してゆく。これにより、本体部１Ｂの底面方向から見た形状は略「Ｚ」字型になる（図８参照）。
【００４４】
そして、第２の谷折部１４ａ、１４ｂが設けられた位置は底板部を上方に起立させた際に第１の谷折部１２に略重なる位置であり、また、第３の谷折部１７ａ、１７ｂが設けられた位置は第１の谷折部１２が略延長する位置である（図１Ａ、図１Ｂ参照）ことより、本体部１Ｂは最終的に第１の谷折部１２、第２の谷折部１４ａ（又は１４ｂ）、第３の谷折部１７ａ（又は１７ｂ）が略同一位置に重ね合わされた状態で、図９に示す、略平面状のコンパクトな形状となるまで折り畳まれる。
【００４５】
この折り畳まれた状態で、谷折りした内側に長尺縦板部２、外側に第１長尺底板部３又は第２長尺底板部２１が重ね合わされており（図８参照）、外側に位置する第２の谷折部１４ａ（又は１４ｂ）には強い曲げ応力がかかることになる。しかし、この本体部１Ｂにおいては、第１長尺底板部３及び第２長尺底板部２１には、強い曲げ応力がかかる場所である、第２の谷折部１４ａ（又は１４ｂ）の延長上の長尺縦板部２の近傍にスリット１５ａ（又は１５ｂ）が設けられている。そのため、折り畳まれた際の当該箇所の曲げ応力はこのスリット１５ａ（又は１５ｂ）の周辺部から第１長尺底板部３及び第２長尺底板部２１にかかる。このとき、スリット１５ａ（又は１５ｂ）は引張られた方向に膨張し、第１長尺底板部３及び第２長尺底板部２１にかかる曲げ応力を緩和する作用を果たす。従って、折り畳まれた際の曲げ応力による第１長尺底板部３及び第２長尺底板部２１の破断が防止される。
【００４６】
本体部１Ｂを折り畳んだ状態で正面側（短尺縦板部３１の面側）から見た全体形状は、図９に示す通り略矩形となっている。そして、この全体形状において、短辺（一辺）の長さＬ１は本体部１Ｂを広げたときの開口部１９の一辺の長さ（Ｌ１）であり、短辺に隣接する長辺（他辺）の長さＬ２は長尺縦板部２及び下側蓋部４を合わせた長さである。この長辺の長さＬ２は、本体部１Ｂを広げたときの開口部１９の長辺の長さＬ３（図６参照）に略等しい。
【００４７】
即ち、本体部１Ｂを折り畳んだときの短辺の長さＬ１は広げたときの開口部１９の短辺の長さＬ１以下であり、本体部１Ｂを折り畳んだときの長辺の長さＬ２は広げたときの開口部１９の長辺の長さＬ３以下である。それゆえ、図１０に示すように、折り畳んだ本体部１Ｂは開いた本体部１Ｂの内部に収納できる。加えて、折り畳んだ本体部１Ｂと開いた本体部１Ｂの開口部１９は短辺の長さＬ１、Ｌ１同士が等しく、長辺の長さＬ２、Ｌ３同士は略等しいことから、図１０に示すように、折り畳んだ本体部１Ｂは開いた本体部１Ｂの内部にほぼ隙間無く収容できる。
【００４８】
そして、回収した収納箱１Ａは、本体部１Ｂを再び広げればすぐに箱の形が形成されて再利用できる。従って、展開した収納箱を再度組立てるような煩雑な工程を回避でき、利用者の利便性が向上する。
【００４９】
このようにして、収納箱１Ａは回収と再利用を繰り返すことになるが、その際の管理情報はＩＣタグ１８に記録し、記録した情報は物流の過程でリーダ（図示せず）を介して読み取って情報管理センター（図示せず）等において管理する。これにより、収納箱１Ａの使用状況を管理センター（図示せず）側で簡易に把握することができる。
【００５０】
なお、上記実施の形態においては、収納箱１Ａの本体部１Ｂは開いた状態で平面視が長方形となるように形成したが、平面視正方形にすることもできるし、本実施の形態の平面視形状の以外の平面視形状を呈する収納箱にも適用できる。
【００５１】
上記実施の形態においては、本体部１Ｂを折り畳む際、下側蓋部４、上側蓋部２２、フラップ３３、３３をそれぞれ上方に起立させて本体部１Ｂ全体を折り畳む構成としたが、逆に、下側蓋部、上側蓋部、フラップをそれぞれ下方に倒伏させ、下側蓋部、上側蓋部、フラップがそれぞれ縦板部に折り重なった状態で本体部全体を折り畳む構成とすることもできる。これにより、折り畳んだ際の収納箱の本体部の形状をよりコンパクトに形成できる。
【００５２】
上記実施の形態は本発明の例示であり、本発明が上記実施の形態に限定されることを意味するものではないことは、いうまでもない。
【図面の簡単な説明】
【００５３】
【図１Ａ】この発明の実施の形態に係る収納箱を形成する、第 部材の展開図である。
【図１Ｂ】同上収納箱を形成する、第２部材の展開図である。
【図１Ｃ】同上収納箱を形成する、第３部材の展開図である。
【図２】同上収納箱の本体部を広げた状態の斜視図である。
【図３】同上収納箱の本体部を広げた状態の正面図である。
【図４】同上収納箱の本体部を広げた状態の側面図である。
【図５】同上収納箱の本体部を広げた状態の蓋部を閉じた平面図である。
【図６】同上収納箱の本体部を広げた状態の蓋部を開けた平面図である。
【図７】同上収納箱の本体部を広げた状態の底面図である。
【図８】同上収納箱の本体部を折り畳みかけた状態の底面方向からみた斜視図である。
【図９】同上収納箱の本体部を折り畳んだ状態で正面側（短尺縦板部の面側）から見た図である。
【図１０】同上折り畳んだ収納箱を開いた収納箱の内部に収納する態様を示す斜視図である。
【符号の説明】
【００５４】
１Ａ・・・収納箱
１Ｂ・・・本体部
２・・・長尺縦板部（縦板部）
３・・・第１長尺底板部（底板部）
４・・・下部蓋部（蓋部）
１２・・・第１の谷折部（谷折部）
１４ａ、１４ｂ・・・第２の谷折部（谷折部）
１５ａ、１５ｂ・・・スリット
１７ａ、１７ｂ・・・第３の谷折部（谷折部）
１８・・・ＩＣタグ
１９・・・開口部
２１・・・第２長尺底板部（底板部）
３１・・・短尺縦板部（縦板部）
３２・・・短尺底板部（底板部）
３３・・・フラップ（蓋部）
【図１Ａ】
2007246100.tif 000003
【図１Ｂ】
2007246100.tif 000004
【図１Ｃ】
2007246100.tif 000005
【図２】
2007246100.tif 000006
【図３】
2007246100.tif 000007
【図４】
2007246100.tif 000008
【図５】
2007246100.tif 000009
【図６】
2007246100.tif 000010
【図７】
2007246100.tif 000011
【図８】
2007246100.tif 000012
【図９】
2007246100.tif 000013
【図１０】
2007246100.tif 000014